(57)【特許請求の範囲】
【請求項１】
回転出力部を有する回転駆動装置の当該回転出力部に連結されて草を刈り取る除草動作を行う除草用カッタであって、
回転しながら草と接触することにより当該草を切断することが可能な切断刃部を有するカッタ本体と、
このカッタ本体をその上側から覆うカバーと、
前記カッタ本体及び前記カバーが互いに重なった状態でこれらを貫通しながら前記回転出力部に連結されることにより当該カッタ本体及び当該カバーを当該回転出力部に着脱可能に締結する締結具と、を備え、
前記カバーは、前記締結具が挿通可能な挿通孔を囲む形状を有し、当該締結具により前記カッタ本体とともに前記回転出力部に締結される被締結部と、この被締結部の回転半径方向外側に配置されるとともに、全周にわたり前記カッタ本体の回転半径方向外側の端部よりもさらに外側に位置しかつ当該端部よりも上側に位置することにより当該カッタ本体が前記草を切断することを許容しながら当該カッタ本体が除草対象以外の物と接触するのを阻止する外周面を有するカバー本体と、前記被締結部と前記カバー本体との間に介在して両者の相対回転を許容することにより前記カバー本体の外周面が前記カッタ本体とともに回転するのを阻止する軸受と、を有する、除草用カッタ。
【請求項２】
請求項１記載の除草用カッタであって、前記カッタ本体として、その回転中心から回転半径方向の外側に向かって放射状に延びる複数のブレードを有し、各ブレードがその回転方向の前側縁部に位置する切断刃部を有する、除草用カッタ。
【請求項３】
請求項２記載の除草用カッタであって、前記カッタ本体の各ブレードは、その回転方向の両側縁部にそれぞれ前記切断刃部を有する、除草用カッタ。
【請求項４】
請求項１〜３のいずれかに記載の除草用カッタであって、前記カバー本体は、前記被締結部が前記回転駆動装置の回転出力部に締結された状態で前記回転駆動装置と当接することにより当該回転駆動装置に対する当該カバー本体の相対回転を阻止する回転阻止部を有する、除草用カッタ。
【請求項５】
請求項１〜４のいずれかに記載の除草用カッタであって、前記回転駆動装置の回転出力部に連結される中継部材をさらに備え、前記締結具は前記カッタ本体及び前記カバーの被締結部を前記中継部材に締結することにより当該カッタ本体及び当該カバー本体の被締結部を前記中継部材を介して前記回転出力部に締結する、除草用カッタ。
【発明の詳細な説明】
【技術分野】
【０００１】
本発明は、例えば刈払機の本体といった回転駆動装置に連結されて除草用の切断を行うカッタに関する。
【背景技術】
【０００２】
従来、除草を行うための手段として、例えば特許文献１に記載される刈払機が知られている。この刈払機は、エンジン等を含む刈払機本体と、これに装着される回転刃であって前記刈払機本体により高速で回転駆動されながら草を刈り払うものと、有する。
【先行技術文献】
【特許文献】
【０００３】
【特許文献１】特開２０１１−８７５４９号公報
【発明の概要】
【発明が解決しようとする課題】
【０００４】
前記の刈払機には、次の解決すべき課題がある。
【０００５】
まず、前記刈払機に含まれる回転刃は、汎用性が低い。すなわち、この回転刃は刈払機本体とセットで使用されるものであり、他の回転駆動装置に連結されて使用されるものではない。市場では、種々の回転駆動装置に連結されることにより除草作用を発揮することが可能な汎用性の高い除草用カッタの提供が求められており、その要求への対応が重要な課題となっている。
【０００６】
また、別の課題として、前記の刈払機を畑地や田圃といった農地での除草に用いると、前記回転刃が誤って農作物に接触することにより当該農作物を傷めるおそれがある。これを回避する手段として、前記回転刃をその回転半径方向外側からガードするカバーを前記刈払機本体に装着して当該回転刃と農作物との接触を阻止することが考えられるが、こうすると前記回転刃とは別に前記カバーも前記刈払機本体に装着しなければならず、汎用性はますます低下する。
【０００７】
本発明は、このような事情に鑑み、回転駆動装置に連結されることにより除草作用を行うことが可能な除草用カッタであって、高い汎用性を有しながら、除草作業の際に誤って農作物といった除草対象外の物を傷めることを抑止することが可能なものを提供することを目的とする。
【課題を解決するための手段】
【０００８】
本発明は、回転出力部を有する回転駆動装置の当該回転出力部に連結されて草を刈り取る除草動作を行う除草用カッタを提供する。この除草用カッタは、回転しながら草と接触することにより当該草を切断することが可能な切断刃部を有するカッタ本体と、このカッタ本体をその上側から覆うカバーと、前記カッタ本体及び前記カバーが互いに重なった状態でこれらを貫通しながら前記回転出力部に連結されることにより当該カッタ本体及び当該カバーを当該回転出力部に着脱可能に締結する締結具と、を備える。前記カバーは、前記締結具が挿通可能な挿通孔を囲む形状を有し、当該締結具により前記カッタ本体とともに前記回転出力部に締結される被締結部と、この被締結部の回転半径方向外側に配置されるとともに、全周にわたり前記カッタ本体の回転半径方向外側の端部よりもさらに外側に位置しかつ当該端部よりも上側に位置することにより当該カッタ本体が前記草を切断することを許容しながら当該カッタ本体が除草対象以外の物と接触するのを阻止する外周面を有するカバー本体と、前記被締結部と前記カバー本体との間に介在して両者の相対回転を許容することにより前記カバー本体の外周面が前記カッタ本体とともに回転するのを阻止する軸受と、を有する。
【０００９】
この除草用カッタによれば、前記カッタ本体を上側から覆うカバーのカバー本体の外周面が、前記カッタ本体の外側端よりもさらに外側でかつ上側に位置して当該カッタ本体と除草対象外の物（例えば農作物；以下「非対象物」と称す。）との接触を阻止するため、その非対象物を傷めることなく容易に除草作業を進めることができる。しかも、当該カッタ本体及び当該カバーはこれらを貫通する共通の締結具によって回転駆動装置の回転出力部に締結されるので、種々の回転駆動装置に簡単に装着されることが可能であり、汎用性が高い。
【００１０】
さらに、前記カバーは、被締結部、カバー本体及び軸受を含み、当該軸受は、前記被締結部が前記カッタ本体とともに回転駆動装置の回転出力部に締結された状態でこの被締結部に対するカバー本体の相対回転を許容するので、前記カッタ本体及び前記被締結部とともにカバー本体の外周面が回転するのを抑止することが可能であり、これにより、当該カバー本体の外周面が前記非対象物と接触したときに当該非対象物にダメージを与えるのを有効に抑止することができる。
【００１１】
前記カッタ本体としては、その回転中心から回転半径方向の外側に向かって放射状に延びる複数のブレードを有し、各ブレードがその回転方向の前側縁部に位置する切断刃部を有するものが、好適である。このカッタ本体では、各ブレードとの間に草を受け入れるための十分な空間を形成することが可能であるから、当該草の詰まり等を起こしにくく、円滑に除草を進めることが可能である。
【００１２】
前記カッタ本体の各ブレードは、その回転方向の両側縁部にそれぞれ前記切断刃部を有することが、より好ましい。このようないわゆる両刃のブレードを具備するカッタ本体は、いずれの向きに回転駆動されても除草を行うことが可能であるから、汎用性はさらに高められる。
【００１３】
前記カバー本体は、前記被締結部が前記回転駆動装置の回転出力部に締結された状態で前記回転駆動装置と当接することにより当該回転駆動装置に対する当該カバー本体の相対回転を阻止する回転阻止部を有することが、好ましい。この回転阻止部は、前記カバーの軸受の回転抵抗が比較的大きい場合、つまり、当該軸受が前記被締結部に対する前記カバー本体の相対回転を許容する能力が比較的低い場合であっても、回転駆動装置そのものを利用することによって、前記カバー本体が前記被締結部と連れ回りしてしまうのをより確実に防ぐことができる。
【００１４】
また、本発明にかかる除草用カッタは、前記回転駆動装置の回転出力部に連結される中継部材をさらに備えてもよい。この場合、前記締結具は、前記カッタ本体及び前記カバーの被締結部を前記中継部材に締結することにより、当該カッタ本体及び当該カバー本体の被締結部を前記中継部材を介して前記回転出力部に締結することができる。
【発明の効果】
【００１５】
以上のように、本発明によれば、回転駆動装置に連結されることにより除草作用を行うことが可能な除草用カッタであって、高い汎用性を有しながら、除草作業の際に誤って農作物といった除草対象外の物を傷めることを有効に抑止することが可能なものが、提供される。
【図面の簡単な説明】
【００１６】
【図１】本発明の第１の実施の形態に係る除草用カッタが回転駆動装置としての刈払機の本体に装着された例を示す斜視図である。
【図２】図１に示す例における前記除草用カッタの組立断面正面図である。
【図３】図１に示す例における前記除草用カッタの分解斜視図である。
【図４】前記除草用カッタのカッタ本体の平面図である。
【図５】図４のＶ−Ｖ線に沿った断面図である。
【図６】前記除草用カッタが回転駆動装置としてのディスクグラインダの本体に装着された例を示す組立断面正面図である。
【図７】図６に示す例における前記除草用カッタの分解斜視図である。
【図８】前記除草用カッタにおけるカッタ本体の形状についての第１の変形例を示す平面図である。
【図９】前記除草用カッタにおけるカッタ本体の形状についての第２の変形例を示す平面図である。
【図１０】本発明の第２の実施の形態に係る除草用カッタの組立断面正面図である。
【図１１】本発明の第２の実施の形態に係る除草用カッタの組立底面図である。
【図１２】本発明の第３の実施の形態に係る除草用カッタの組立断面正面図である。
【図１３】本発明の第４の実施の形態を示す組立断面正面図である。
【図１４】本発明の第５の実施の形態を示す組立断面正面図である。
【発明を実施するための形態】
【００１７】
本発明の好ましい実施の形態を、図面を参照しながら説明する。
【００１８】
図１〜図７は、本発明の実施の形態に係る除草用カッタ１０を示す。この除草用カッタ１０は、回転駆動装置の回転出力軸に連結されて駆動されることにより、草を刈り取る除草動作を行うものであり、図１〜図４は当該回転駆動装置として刈払機本体６０が利用され、図６及び図７は当該回転駆動装置としてディスクグラインダの本体７０が利用された例を示す。このように、前記除草用カッタ１０は、刈払機本体６０及びディスクグラインダの本体７０のいずれにも装着されて使用されることが可能なものであり、高い汎用性を有するものである。
【００１９】
図１に示される刈払機本体６０は、一方向に延びる本体軸６２と、この本体軸６２の中間部位に設けられた操作用のハンドル６４と、当該本体軸６２の上端に設けられた原動機６６と、当該本体軸６２の下端に設けられた刈払機ヘッド６８と、を有する。前記本体軸６２は、原動機６６が生成する動力を前記刈払機ヘッド６８に伝達する機構を内蔵する。刈払機ヘッド６８は、図２に示す回転出力軸６９と、伝達された動力を前記回転出力軸６９に伝えて当該回転出力軸６９を回転させる図略の変速機構と、を含む。
【００２０】
図２及び図３に示すように、前記除草用カッタ１０は、除草のための切断を行うカッタ本体２０と、このカッタ本体２０をガードするためのカバー３０と、これらカッタ本体２０及びカバー３０を前記刈払機本体６０の回転出力軸６９に締結する締結具４０と、を備える。
【００２１】
前記カッタ本体２０は、適当な金属材料その他の硬質材料、例えば工具鋼、により形成され、前記回転出力軸６９に締結されることにより、当該回転出力軸６９と一体に高速回転し、これにより、当該カッタ本体２０と接触する草を切断することが可能な形状を有する。具体的に、前記カッタ本体２０は、図４にも示すように、ボス部２２と、複数枚のブレード２４と、を一体に有し、全体が板状をなす。
【００２２】
前記ボス部２２は、環状をなし、前記締結具４０の挿通を許容する円形の挿通孔２３を囲む。このボス部２２は、前記カバー３０とともに、前記締結具４０によって前記回転出力軸６９に締結される。
【００２３】
前記各ブレード２４は、前記ボス部２２から回転半径方向の外向きに放射状に延びる形状を有する。この実施の形態に係るカッタ本体２０では、前記ボス部２２において周方向に１８０°離間する２つの位置からそれぞれ外向きに各ブレード２４が直線状に延びている。
【００２４】
前記各ブレード２４は、その回転方向の両縁部にそれぞれ切断刃部２６を有する。これらの切断刃部２６は、前記カッタ本体２０の回転時に草と接触することにより当該草を切断することが可能な形状を有する。具体的に、この実施の形態に係る各切断刃部２６は、図５に示すように、前記回転方向の両縁部においてブレード２４の上面に当該上面が先端に向かうに従って低くなる（つまりブレード２４の肉厚が小さくなる）テーパーを与えることにより、形成されている。
【００２５】
前記カバー３０は、前記カッタ本体２０を上側から覆う部材であって、被締結部であるボス部３２とカバー本体３４と軸受３６とを有する。
【００２６】
前記ボス部３２は、前記締結具４０によって前記カッタ本体２０のボス部２２とともに前記回転出力軸６９に締結される部分である。当該ボス部３２は、略円筒状をなし、前記ボス部２２と同じく前記締結具４０の挿通を許容する円形の挿通孔３３を囲む。この実施の形態に係るボス部３２は、前記ボス部２２の内径とほぼ同じ内径を有する。すなわち、当該ボス部３２が囲む挿通孔３３の径と前記ボス部２２が囲む挿通孔２３の径はほぼ同一である。
【００２７】
この実施の形態に係るボス部３２の上端部の内径は、前記挿通孔３３の径よりも僅かに小さい径となっている。これは、当該ボス部３２と前記刈払機ヘッド６８の下面の突出部６８ａとの嵌合による芯出しのためであり、他に芯出しが可能な部分があれば当該内径の設定は必須ではない。
【００２８】
前記カバー本体３４は、前記ボス部３２の回転半径方向外側に位置して前記カッタ本体２２をその回転半径方向の外側及び上側からガードする形状を有する。具体的に、この実施の形態に係るカバー本体３４は、基部３４ａと、天壁３４ｂと、周壁３４ｃと、を一体に有する。前記基部３４ａは、前記ボス部３２と平行に配置される略円筒状をなし、当該ボス部３２の外径よりも大きい内径を有する。前記天壁３４ｂは、前記基部３４ａの上端から回転半径方向外向きに延び、前記ボス部２２，３２がともに前記回転出力軸６９に締結された状態（以下「装着状態」と称する。）で前記カッタ本体２０を上側からガードするドーナツ板状をなす。前記周壁３４ｃは、前記天壁３４ｂの外周縁から略下方に延びる外周部であり、前記装着状態で前記カッタ本体２０の回転半径方向の外側の端部よりもさらに外側に位置する外周面を有する。つまり、この周壁３４ｃの外径は、前記カッタ本体２０の外接円の直径よりも大きい。
【００２９】
この周壁３４ｃの下端位置は前記カッタ本体２０の上面よりも僅かに上側にある。この相対位置は、前記カッタ本体２０による草の切断を許容しながらそれ以外の非対象物、すなわち除草対象外の物（例えば農作物）、にカッタ本体２０が接触するのを阻止するように、設定される。
【００３０】
前記軸受３６は、前記ボス部３２と前記カバー本体３４とを相互に連結するのに加え、当該ボス部３２に対する当該カバー本体３４の相対回転を許容するように両者間に介在する。具体的に、この実施の形態に係る軸受３６は、前記ボス部３２の外周面上に固定される内輪３６ａと、前記カバー本体３４の基部３４ａの内周面上に固定される外輪３６ｂと、内輪３６ａと外輪３６ｂとの間に介在する転動体（例えば剛球やころ）３６ｃと、を有し、この転動体３６ｃは前記内輪３６ａ及びボス部３２に対する前記外輪３６ｂ及び基部３４ａの相対回転を許容するように転動する。
【００３１】
この実施の形態に係るカバー本体３４は、さらに、回転阻止部３８を含む。この回転阻止部３８は、前記カバー本体３４の適所（図２及び図３に示す例では天壁３４ｂ）から上向きに突出し、回転駆動装置の適当な部位（図２及び図３に示す例では刈払機ヘッド６８の側面）に当接することにより、当該回転駆動装置に対するカバー本体３４の相対回転を阻止する。図２に例示される回転阻止部３８は、前記天壁３４ｂを上向きに貫通するボルト３８ａと、このボルト３８ａを固定するために当該ボルト３８ａに装着されるナット３８ｂと、により構成されている。
【００３２】
前記締結具４０は、前記ボス部２２，３２が囲む挿通孔２３，３３に挿通されながら前記回転出力軸６９に連結される（螺合して締め付けられる）ことにより、当該ボス部２２，３２をこれらが軸方向に重なった状態で前記回転出力軸６９に締結する。
【００３３】
具体的に、この実施の形態に係る締結具４０は、ボルト４２と、押え部材４４と、平座金４６と、を有する。
【００３４】
前記ボルト４２は、ねじ軸部４２ａとそれよりも大径の頭部４２ｂとを有する。ねじ軸部４２ａは、雄ねじが形成された外周面を有する。当該ねじ軸部４２ａの外径は、図２に示すように前記回転出力軸６９に形成されているねじ孔６９ａに螺合可能な径に設定されている。
【００３５】
前記押え部材４４は、前記回転出力軸６９のねじ孔６９ａへの前記ボルト４２のねじ込みに伴って当該押え部材４４と前記刈払機ヘッド６８との間に前記両ボス部２２，３２を挟み込むための部材である。
【００３６】
具体的に、この押え部材４４は、装着状態で上から順に第１円筒部４４ａ、第２円筒部４４ｂ及び押え部４４ｃを一体に有する。第１及び第２円筒部４４ａ，４４ｂは、同じ外径、具体的には前記ボス部２２，３２の内側にほぼ隙間なく嵌入されることが可能な外径、を有する一方、互いに異なる内径を有する。第１円筒部４４ａの内径は、前記ボルト４２のねじ軸部４２ａの外径よりも大きくかつ前記平座金４６の外径よりも小さい。第２円筒部４４ｂの内径は、前記平座金４６の外径よりも僅かに大きい。前記押え部４４ｃは、前記第２円筒部４４ｂのさらに下側で当該第２円筒部４４ｂの外周面よりも回転半径方向外向きに鍔状に突出する。
【００３７】
以上説明した形状の押え部材４４は、前記ボルト４２と前記回転出力軸６９との螺合の進行に伴って前記両ボス部２２，３２を前記刈払機ヘッド６８側すなわち上側に押え込むことが可能である。具体的には、図２に示されるように、互いに重ねられたボス部２２，３２の内側に押え部材４４が嵌入され、かつ、ボルト４２の頭部４２ｂと第１円筒部４４ａとの下面に平座金４６が介在する状態で、当該ボルト４２のねじ軸部４２ａが回転出力軸６９のねじ孔６９ａにねじ込まれることにより、当該押え部材４４の押え部４４ｃと刈払機ヘッド６８の下面との間に両ボス部２２，３２を挟み込んで装着状態とすることが可能である。
【００３８】
なお、前記ボルト４２のねじ軸部４２ａ及び頭部４２ｂの径が十分に大きければ、前記押え部材４４が省略されてボルト４２が単独で締結具を構成することも可能である。すなわち、ボルト４２の頭部４２ｂが押え部材として機能することも可能である。
【００３９】
図１〜図５に示す除草用カッタ１０は、前記と同じ要領で、図６及び図７に示すディスクグラインダの本体７０にも装着されることが可能である。具体的に、このディスクグラインダの本体７０は、図示されないモータと、このモータの出力によって回転駆動される回転出力軸７２と、を有し、この回転出力軸７２に前記除草用カッタ７０が連結されることが可能である。
【００４０】
この回転出力軸７２は、前記回転出力軸６９と異なり、雄ねじ部を構成するが、図６及び図７に示すような簡単なアダプタ４８を用いるだけで、前記回転出力軸６９に対してと同様に、前記カッタ本体２０及び前記カバー３０を前記回転出力軸７２に締結することができる。具体的に、当該アダプタ４８は、略円筒状をなし、その内周面の上部が前記回転出力軸７２と螺合可能なねじ孔４８ａを構成し、当該内周面の下部が前記ボルト４２と螺合可能なねじ孔４８ｂを構成している。また、回転出力軸７２の回転速度が前記回転出力軸６９のそれよりも高い場合には、前記平座金４６に加えて図６及び図７に示すようなバネ座金４７が適宜加えられてもよい。
【００４１】
このように、前記除草用カッタ１０は、共通する基本構成要素によって、刈払機本体６０の回転出力軸６９及びディスクグラインダ本体７０の回転出力軸７２のいずれにも連結されることが可能であり、汎用性が高い。しかも、当該除草用カッタ１０はカッタ本体２０に加えてカバー３０を含み、これらがともに共通の締結具４０によって前記回転出力軸６９，７２に締結されるので、高い汎用性を有しながらも、カッタ本体２０が除草対象外の非対象物に接触するのを阻止することができる。
【００４２】
例えば、図２に示されるように回転出力軸６９に除草用カッタ１０が連結された状態で当該回転出力軸６９が回転すると、これと一体にカッタ本体２０及びカバー３０のうちのボス部３２が回転する。この時、カッタ本体２０はカバー３０よりも僅かに下側に位置しているため、当該カッタ本体２０のブレード２４の切断刃部２６によって草の根元部分を切断して当該草を刈り取ることができる一方、当該カバー３０のカバー本体３４における周壁３４ｃの外周面が前記カッタ本体２０の外側端よりも外側の位置で農作物等の非対象物に当たることにより、当該非対象物に前記カッタ本体２０が接触してダメージを与えることを阻止できる。
【００４３】
さらに、前記カバー３０においては、前記ボス部３２とその外側のカバー本体３４との間に軸受３６が介在しているため、当該ボス部３２と一体にカバー本体３４が高速回転することが防がれ、これにより、当該カバー本体３４と非対象物との接触による当該非対象物のダメージが効果的に抑えられる。特に、この実施の形態では、前記カバー本体３４に含まれる回転阻止部３８が図２に示される刈払機本体６０の刈払機ヘッド６８や図６に示されるディスクグラインダ本体７０の適当な部位と当接することにより当該刈払機ヘッド６８や当該ディスクグラインダ本体７０に対するカバー本体３４の相対回転を阻止するため、前記軸受３６の回転抵抗が比較的大きい場合、すなわち、当該軸受３６がボス部３２に対するカバー本体３４の相対回転を許容する能力が比較的低い場合でも、前記刈払機本体６０やディスクグラインダ本体７０そのものを利用して当該ボス部３２にカバー本体３４が連れ回りするのを確実に防ぐことができる。
【００４４】
さらに、この実施の形態に係るカッタ本体２０は、放射状に延びる複数のブレード２４を有し、各ブレード２４同士の間に十分な空間が確保されているから、草の詰まりが生じにくい。しかも、各ブレード２４の回転方向両縁部に切断刃部２６が与えられているから、当該カッタ本体２０がいずれの方向に回転駆動されても、除草動作を行うことが可能である。特に、図２に示される刈払機本体６０及びディスクグラインダ本体７０が回転駆動装置として用いられる場合、前者の回転出力軸６９は右回転であることが多く、逆に後者の回転出力軸７２は左回転であることが多いため、前記のような両刃式のブレード２４は有効である。
【００４５】
ただし、本発明に係るカッタ本体の具体的な形状は特に限定されない。例えば図８に示すカッタ本体２０Ａのように、前記カッタ本体２０と同じく複数のブレード２４Ａを有するものであっても、使用時に回転する方向が決まっている場合には、その回転方向の前側にのみ切断刃部２６が与えられればよい。また、「回転半径方向外側に放射状に延びる」とは必ずしも直線状に延びるものに限られない。例えば、図８に示すカッタ本体２０Ｂのように、回転半径方向の外側に向かうに従って回転方向前側に湾曲する形状のブレード２４Ｂを有するものでは、より確実に草を捕まえることが可能である。また、当該ブレードの本数も限定されないことはいうまでもない。あるいは、本発明に係るカッタ本体は、特許文献１に記載されるような円板状の回転板とその外周部に装着される複数の刃部とを有するものであってもよい。
【００４６】
図１０及び図１１は、本発明の第２の実施の形態に係る除草用カッタ１０Ｃを示す。この除草用カッタ１０Ｃは、図２に示される除草用カッタ１０と同等の基本的構成を有するが、その押え部材４４の押え部４４ｃの下面に、当該押え部４４ｃの摩耗度合いを認識するための溝４４ｄが形成されている。この押え部材４４の押え部４４ｃはカッタ本体２０のブレード２４の下面よりも下方に突出して使用時に地面に対して摺接するため、摩耗しやすく、しかも、当該押え部４４ｃが破損するとカッタ本体２０及びカバー３０の保持ができなくなる。そこで、当該押え部４４ｃの下面に前記のような溝４４ｄを与えて当該溝４４ｄの深さから当該押え部４４ｃの摩耗度合いを認識できるようにすれば、当該押え部４４ｃが破損する前に押え部材４４の交換をすることができる。
【００４７】
あるいは、第３の実施の形態として図１２に示す除草用カッタ１０Ｄのように、カッタ本体２０のボス部２２と各ブレード２４との間に段部２８を介在させて当該ブレード２４の下面２４ｄを前記ボス部２２の下面さらには前記押え部４４ｃの下面よりも下側に位置させることも有効である。この段部２８は、ブレード２４の下面２４ｄを地面に接触させて前記押え部４４ｃと地面との接触を阻止することを可能にし、これにより、当該押え部４４ｃの摩損を防ぐことができる。
【００４８】
本発明にいう「締結具」は、カッタ本体及びカバーを回転駆動装置に設けられた既存の回転出力軸に直結するものに限られない。例えば、図６及び図７に示されるアダプタ４８は、前記カッタ本体２０及びカバー３０のボス部３２とディスクグラインダ本体７０の回転出力軸７２との間に介在する中継部材であり、同図に示される締結具４０はその中継部材である前記アダプタ４８に前記カッタ本体２０及び前記ボス部３２を締結することにより、当該カッタ本体２０及び当該ボス部３２を当該アダプタ４８を介して前記回転出力軸７２に間接的に締結する。本発明は、このような中継部材を備える場合に当該中継部材の具体的な形状や寸法も限定されない。
【００４９】
例えば図１３に第４の実施の形態として示すような電動工具８０であって雄ねじ部を有する回転出力軸８２を備えた電動工具８０に除草用カッタ１０を連結する場合、前記と同様にアダプタ４８を中継部材として適用することが可能であるが、当該回転出力軸８２と当該アダプタ４８との間にさらなる中継部材が介在してもよい。
【００５０】
そのさらなる中継部材として、図１４に示す第５の実施の形態では、長尺の複数の中継軸９１，９２と、複数の中継アダプタ９３，９４と、が前記回転出力軸８２と前記アダプタ４８との間に介在している。前記中継軸９１は、前記アダプタ４８に連結される先端部９１ａと、その反対側の端部であって前記中継アダプタ９３を介して前記中継軸９２の先端部９２ａに連結される基端部９１ｂと、を有する。前記中継軸９２は、前記先端部９２ａと、その反対側の端部であって前記中継アダプタ９４を介して前記電動工具８０の回転出力軸８２に連結される基端部９２ｂと、を有する。また、前記中継軸９１，９２を含む中継部材の導入に合わせて回転阻止部も延長させることを可能にすべく、第５の実施の形態に係る回転阻止部３８′は、継ぎ足し可能な複数の中継軸３８ｃ，３８ｄを含む。
【００５１】
図１３及び図１４に示す第４及び第５の実施の形態によれば、共通の電動工具８０を用いながら、その回転出力軸８２と前記カッタ本体２０及びボス部３２との中継部材の介入によって、複数種の姿勢で除草作業を行うことが可能になる。例えば図１３に示す形態では中腰の姿勢で、図１４に示す形態では立ち姿勢で、それぞれ除草作業を行うことが可能となるように各中継部材の長さを設定することが可能である。
【００５２】
前記第５の実施の形態においても、中継部材の具体的な構造は限定されない。例えば、図１４に示される中継軸９１，９２及び中継アダプタ９３が単一のシャフトあるいはそれよりも軽量な中空のパイプに置き換えられてもよい。
【符号の説明】
【００５３】
１０，１０Ｃ，１０Ｄ  除草用カッタ
２０，２０Ａ，２０Ｂ  カッタ本体
２２    ボス部
２３    挿通孔
２４，２４Ａ，２４Ｂ  ブレード
２６    切断刃部
３０    カバー
３２    ボス部（被締結部）
３３    挿通孔
３４    カバー本体
３４ｃ  周壁
３６    軸受
３８，３８′  回転阻止部
４０    締結具
４２    ボルト
４４    押え部材
４６    平座金
４８    アダプタ（中継部材）
６０    刈払機本体（回転駆動装置）
６９    回転出力軸（回転出力部）
７０    ディスクグラインダ本体（回転駆動装置）
７２    回転出力軸（回転出力部）
８０    電動工具（回転駆動装置）
８２    回転出力軸（回転出力部）
９１，９２  中継軸（中継部材）
９３，９４  中継アダプタ（中継部材）
【要約】
【課題】汎用性が高く、農作物等へのダメージを与えにくい除草用カッタを提供する。
【解決手段】除草用カッタ１０は、回転駆動装置の回転出力部６９に連結されて草を刈り取るもので、カッタ本体２０と、これを上側から覆うカバー３０と、カッタ本体２０及びカバー３０を回転出力部６９に締結する締結具４０と、を備える。カバー４０は、カッタ本体４２とともに回転出力部６９に締結される被締結部４２と、その回転半径方向外側に配置されるとともに、カッタ本体２０の回転半径方向外側の端部よりもさらに外側に位置することにより当該カッタ本体２０が除草対象以外の物と接触するのを阻止する外周面を有するカバー本体３４と、被締結部３２とカバー本体３４との相対回転を許容する軸受３６と、を有する。
【選択図】図２【図１】
0005824562.tif 000002
【図２】
0005824562.tif 000003
【図３】
0005824562.tif 000004
【図４】
0005824562.tif 000005
【図５】
0005824562.tif 000006
【図６】
0005824562.tif 000007
【図７】
0005824562.tif 000008
【図８】
0005824562.tif 000009
【図９】
0005824562.tif 000010
【図１０】
0005824562.tif 000011
【図１１】
0005824562.tif 000012
【図１２】
0005824562.tif 000013
【図１３】
0005824562.tif 000014
【図１４】
0005824562.tif 000015